(57)【要約】【課題】  複数の研削子を紛失することなく収容することができる角質研削装置を提供すること。【解決手段】  第一及び第二の研削子４，５の一方を、本体２に内蔵された電動機８によって回転させられる受部３に対して選択的に且つ着脱自在に取り付けると共に、他方を保護カバー６の内側に形成された保持部14に保持させることで、角質研削装置１の使用時において、使用されていない前記研削子４又は５を紛失することなく前記保護カバー６の内側に収容することができるばかりでなく、非使用時において、前記保持部14に研削子４又は５を保持させたまま、前記保護カバー６で前記受部３に取り付けられた前記研削子５又は４を覆うことで、これらの研削子４，５を保護することができるものである。【選択図】図３
2006149864.tif 000002
【特許請求の範囲】
【請求項１】
電動機を内蔵した本体と、前記電動機によって回転させられると共に前記本体に対して選択的且つ着脱自在に取り付けられる複数の研削子とを有する角質研削装置において、前記本体に取り付けられた一の前記研削子を覆う保護カバーを前記本体に対して着脱自在に取り付けると共に、前記保護カバーの内側に、他の前記研削子を保持する保持部を設けたことを特徴とする角質研削装置。
【請求項２】
前記本体における前記研削子の受部を、前記本体の一側に偏らせて設けると共に、前記保護カバーにおける前記保持部を、前記保護カバーが前記本体に取り付けられた状態における他側に偏らせて設けたことを特徴とする請求項１記載の角質研削装置。
【発明の詳細な説明】
【技術分野】
【０００１】
本発明は、固くなって角質化した皮膚等を研削するための角質研削装置に関するものである。
【背景技術】
【０００２】
従来、この種の角質研削装置としては、例えば、本体ケース（本発明の本体に該当する）内に直流モータ（本発明の電動機に該当する）及び乾電池を設け、前記直流モータの軸に設けられたチャック（本発明の受部に該当する）に砥石（本発明の研削子に該当する）の軸を保持させることで、前記モータによって前記砥石を回転させ、爪や角質化した皮膚を削るものが知られている（例えば、特許文献１参照。）。そして、これらの角質研削装置では、研削子を複数用意し、粗削りの場合と仕上げ削りの場合とで前記研削子を交換したり、また、研削対象によって前記研削子を交換したりしていた。
【特許文献１】実開昭５６−８９４５２号公報
【発明の開示】
【発明が解決しようとする課題】
【０００３】
しかしながら、このような角質研削装置においては、使用している研削子は受部に取り付けられているので問題ないが、使用していない研削子は紛失してしまう虞があった。
【０００４】
本発明は以上の問題点を解決し、複数の研削子を紛失することなく収容することができる角質研削装置を提供することを目的とする。
【課題を解決するための手段】
【０００５】
本発明の請求項１に記載の角質研削装置は、電動機を内蔵した本体と、前記電動機によって回転させられると共に前記本体に対して選択的且つ着脱自在に取り付けられる複数の研削子とを有する角質研削装置において、前記本体に取り付けられた一の前記研削子を覆う保護カバーを前記本体に対して着脱自在に取り付けると共に、前記保護カバーの内側に、他の前記研削子を保持する保持部を設けたものである。
【０００６】
また、本発明の請求項２に記載の角質研削装置は、請求項１において、前記本体における前記研削子の受部を、前記本体の一側に偏らせて設けると共に、前記保護カバーにおける前記保持部を、前記保護カバーが前記本体に取り付けられた状態における他側に偏らせて設けたものである。
【発明の効果】
【０００７】
本発明の請求項１に記載の角質研削装置は、以上のように構成することにより、複数の前記研削子のうち一つを前記本体に対して取り付け、前記本体に内蔵された電動機を作動させることで、一の前記研削子が回転し、この研削子によって人体の角質を削ることができる。また、この時使用されていない他の研削子は、前記本体に対して取り付けられる保護カバーの内側に形成された保持部に保持することができる。更に、前記角質研削装置を使用していない状態では、他の前記研削子を前記保持部に保持したまま、前記保護カバーで一の前記研削子を覆い、これらの研削子を保護することができる。
【０００８】
また、本発明の請求項２に記載の角質研削装置は、以上のように構成することにより、前記受部に取り付けられた一の前記研削子と前記保護カバーの内側に保持された他の前記研削子とが干渉しないようにできるので、前記受部に一の前記研削子が取り付けられた状態の本体に対して、前記保護カバーの内側に形成された保持部に他の前記研削子を保持させた状態で、この保護カバーを確実に取り付けることができる。
【発明を実施するための最良の形態】
【０００９】
以下、本発明の実施形態について、図１乃至図４に基づいて説明する。なお、以下の説明において、図１乃至図３の姿勢に基づいて上下左右を規定する。１は角質研削装置である。この角質研削装置１は、本体２と、この本体２の受部３に対して着脱自在な第一の研削子４及び第二の研削子５と、保護カバー６とで構成されている。
【００１０】
前記本体２は、上下に長く形成されると共に上方及び下方が開放した外殻体７と、この外殻体７内に設けられた電動機８及び減速機構９と、前記外殻体７の下方開口を閉塞するための蓋体10とを有して構成されている。そして、前記本体２内の前記電動機８と前記蓋体10との間には、前記電動機８に電力を供給するための電池11が収容されている。また、前記外殻体７の正面側には、スイッチ12が設けられている。また、前記減速機構９の出力軸９Ａは、前記外殻体７の上方開口から、前記本体２の軸方向と略平行に突出していると共に、前記出力軸９Ａの周囲は、カバー13によって覆われている。更に、前記出力軸９Ａには、前記受部３が形成されている。なお、前記受部３が形成された出力軸９Ａは、前記本体２の中心よりも右側に偏って設けられている。この出力軸９Ａは、前記本体２の中心から、前記第一の研削子４の最大半径よりも長い距離偏っている。そして、前記カバー13の基端側には、係合受部13Ａが形成されている。
【００１１】
前記第一の研削子４は、取付部４Ａと、研削部４Ｂと、これら取付部４Ａと研削部４Ｂとの間に設けられたフランジ部４Ｃとで構成されている。前記取付部４Ａは、前記出力軸９Ａの受部３に対して係合されるものであり、前記受部３と係合した状態において、前記第一の研削子４の軸方向が、前記本体２の長さ方向と略平行となるように構成されている。また、前記研削部４Ｂは、先端が略球面状であると共に、全体として略円筒状に形成されている。そして、この研削部４Ｂの表面には、図示しない研削粒子が塗布されている。また、前記第二の研削子５は、取付部５Ａと、研削部５Ｂと、これら取付部５Ａと研削部５Ｂとの間に設けられたフランジ部５Ｃとで構成されている。前記取付部５Ａは、前記出力軸９Ａの受部３に対して係合されるものであり、前記第一の研削子４における取付部４Ａと同形状に形成されている。そして、前記取付部５Ａが前記受部３と係合した状態において、前記第二の研削子５の軸方向が、前記本体２の長さ方向と略平行となるように構成されている。また、前記研削部５Ｂは、全体として先端が丸められた略円錐状に形成されている。そして、この研削部５Ｂの表面には、図示しない研削粒子が塗布されている。なお、前記第一の研削子４の研削部４Ｂに塗布された研削粒子は、前記第二の研削子５の研削部５Ｂに塗布された研削粒子よりも粗いものである。即ち、前記第一の研削子４は粗削り用、第二の研削子５は仕上げ用である。そして、これら第一の研削子４及び第二の研削子５は、前記出力軸９Ａの受部３に対して選択的に且つ着脱自在に取り付けられる。また、前記第一の研削子４のフランジ部４Ｃは、前記第二の研削子５のフランジ部５Ｃよりも径大に形成されている。
【００１２】
更に、前記保護カバー６の内側には、保持部14が一体に設けられている。この保持部14は、前記本体２に取り付けられた状態において、この本体２の長さ方向と略平行となる略円筒状に形成されていると共に、前記第一の研削子４の取付部４Ａ及び前記第二の研削子５の取付部５Ａが挿入可能に形成されている。また、前記保持部14は、前記保護カバー６の中心よりも左側に偏って設けられている。なお、前記保持部14は、前記保護カバー６の中心から、前記第一の研削子４の最大半径よりも長い距離偏っている。更に、前記保護カバー６の開口端の内側には、前記係合受部13Ａと係合する凸部15が形成されている。なお、前記保護カバー６は、前記本体２に対して中心がほぼ一致するように取り付けられる。また、前記保護カバー６を前記本体２に取り付けた状態において、前記保持部14の下端から前記カバー13までの垂直方向の距離は、前記第一及び第二の研削子４，５の研削部４Ａ，５Ａの軸方向長さよりも充分に長く形成されていると共に、前記カバー13の上端から前記保護カバー６の上面までの垂直方向の距離も、前記第一及び第二の研削子４，５の研削部４Ａ，５Ａの軸方向長さよりも充分に長く形成されている。
【００１３】
次に、本実施形態の作用について説明する。まず使用者は、前記本体２内に電池11を挿入し、前記蓋体10を取り付ける。また、前記保護カバー６を本体２から取り外し、前記第一及び第二の研削子４，５のうち、任意の一方を前記出力軸９Ａの受部３に取り付ける。なお、ここでは前記第一の研削子４を前記受部３に取り付けた状態で説明する。そして、使用されない前記第二の研削子５は、前記保護カバー６の保持部14に保持される。そして、使用者が前記本体２を把持し、前記スイッチ12を操作することで、前記電池11から前記電動機８に電流が流れ、この電動機８が作動される。そして、この電動機８が作動すると、この電動機８の駆動力は前記減速機構９に伝達され、前記出力軸９Ａを適宜の回転速度で回転させる。そして、前記出力軸９Ａが回転することで、この出力軸９Ａの受部３に取り付けられた第一の研削子４が回転する。更に、この回転する第一の研削子４を、身体の角質化した皮膚等に当てることで、前記皮膚が図示しない研削粒子によって削り落とされる。
【００１４】
なお、このように前記第一の研削子４によって皮膚を研削している間、使用されない第二の研削子５は、前述したように、前記保護カバー６の保持部14に保持された状態で収容されている。そして、前記第二の研削子５を使用する際には、前記保護カバー６内の保持部14から前記第二の研削子５を取り外すと共に、前記受部３から前記第一の研削子４を取り外し、前記第二の研削子５の取付部５Ａを前記出力軸９Ａの受部３と係合させることで前記第二の研削子５を前記受部３に取り付け、更に前記第一の研削子４の取付部４Ａを前記保護カバー６内の保持部14に挿入することで前記第一の研削子４を前記保持部14に保持させる。そして、前述した操作手順と同様にして、前記第二の研削子５によって角質化した皮膚を削り落とす。このように、前記第一及び第二の研削子４，５のうち、使用されていない一方の研削子が前記保持部14によって前記保護カバー６内に収容されるので、使用されていない研削子を紛失する虞を少なくすることができる。
【００１５】
そして、角質化した皮膚の研削が終了した後、前記保護カバー６を、前記保持部14に研削子４又は５が取り付けられたまま、前記本体２に取り付ける。この際、前記カバー13の係合受部13Ａに、前記保護カバー６の凸部15が係合することで、前記保護カバー６が前記本体２に対して取り付けられる。なお、前述したように、前記受部３が形成された出力軸９Ａが、前記本体２の中心から右側に、径大に形成された前記第一の研削子４における最大半径となる前記フランジ部４Ｃの半径よりも長い距離偏っていることで、前記受部３に前記第一の研削子４を取り付けた状態において、この第一の研削子４全体が前記本体２の中心よりも右側に偏ることになる。そして、前記保持部14が、前記保護カバー６の中心から左側に、前記第一の研削子４における最大半径となる前記フランジ部４Ｃの半径よりも長い距離偏っていることで、前記保持部14に前記第二の研削子５を保持させた状態において、この第二の研削子５が前記第一の研削子４よりも径小に形成されていることと相まって、前記第二の研削子５全体が前記保護カバー６の中心よりも左側に偏ることになる。そして、前述したように、前記保護カバー６と前記本体２の中心がほぼ一致するので、前記第二の研削子５全体が前記本体２の中心よりも左側に偏った状態で保持されることになる。従って、前記受部３に取り付けられた第一の研削子４の全体、及び前記保持部14に保持された第二の研削子５の全体が、前記本体２の中心よりも、それぞれ右側及び左側に偏っており、これによって、前記第一の研削子４と第二の研削子５とが干渉することがないので、これらの研削子４，５を前記本体２と保護カバー６とで規定された空間内に確実に収容することができる。なお、前記受部３に第二の研削子５を取り付け、前記保持部14に第一の研削子４を保持させた状態であっても、同様に前記第一の研削子４と第二の研削子５とが干渉することなく、これらの研削子４，５を前記本体２と保護カバー６とで規定された空間内に確実に収容することができる。また、前述したように、前記保護カバー６を前記本体２に取り付けた状態における、前記保持部14の下端から前記カバー13までの垂直方向の距離が、前記第一及び第二の研削子４，５の研削部４Ａ，５Ａの軸方向長さよりも充分に長く形成されていると共に、前記カバー13の上端から前記保護カバー６の上面までの垂直方向の距離が、前記第一及び第二の研削子４，５の研削部４Ａ，５Ａの軸方向長さよりも充分に長く形成されていることで、前記受部３に取り付けられた前記研削子４，５が前記保護カバー６と干渉することがなく、また、前記保持部14に保持された前記研削子５，４が、前記カバー13と干渉することがないので、前記研削子４，５を前記本体２と保護カバー６とで規定された空間内に確実に収容することができる。
【００１６】
以上のように本発明は、第一及び第二の研削子４，５の一方を、本体２に内蔵された電動機８によって回転させられる受部３に対して選択的に且つ着脱自在に取り付けると共に、他方を保護カバー６の内側に形成された保持部14に保持させることで、角質研削装置１の使用時において、使用されていない前記研削子４又は５を紛失することなく前記保護カバー６の内側に収容することができるばかりでなく、非使用時において、前記保持部14に研削子４又は５を保持させたまま、前記保護カバー６で前記受部３に取り付けられた前記研削子５又は４を覆うことで、これらの研削子４，５を保護することができるものである。また、前記受部３を、この受部３に取り付けられる前記研削子４又は５全体が前記本体２の中心よりも右側となる程度に偏らせて設けると共に、前記保持部14を、この保持部に取り付けられる前記研削子５又は４全体が前記保護カバー６の中心よりも左側となる程度に偏らせて設け、前記本体２と保護カバー６の中心がほぼ一致するように前記本体２に対して前記保護カバー６を取り付けられるので、前記受部３に取り付けられた研削子４又は５と、前記保持部14に保持された前記研削子５又は４とが干渉せず、前記受部３に前記研削子４又は５を、前記保持部14に前記研削子５又は４を取り付けたまま、前記保護カバー６を前記本体２に対して確実に取り付けることができるものである。
【００１７】
なお、本発明は以上の実施形態に限定されるものではなく、発明の要旨の範囲内で種々の変形が可能である。例えば、上記実施形態では、前記受部を右側に、前記保持部を左側に偏らせているが、それぞれ逆方向に偏らせるようにしてもよい。また、上記実施形態では、研削子を二つ設けたが、三つ以上設けてもよい。
【産業上の利用可能性】
【００１８】
上記実施形態では、研削子として、研削粒子が塗布されたものを用いており、角質化した皮膚の研削に適したものであるが、前記研削子の形状及び研削粒子を適宜選択することで、爪用のヤスリとして、或いは爪の表面を磨く爪磨きとして使用することもできる。
【図面の簡単な説明】
【００１９】
【図１】本発明の一実施例を示す角質研削装置の正面図である。
【図２】同上、保護カバーを取り外した状態の正面図である。
【図３】同上、断面図である。
【図４】同上、研削子の外観図であり、（ａ）は第一の研削子、（ｂ）は第二の研削子である。
【符号の説明】
【００２０】
１  角質研削装置
２  本体
３  受部
４  第一の研削子（研削子）
５  第二の研削子（研削子）
６  保護カバー
８  電動機
14  保持部
【図１】
2006149864.tif 000003
【図２】
2006149864.tif 000004
【図３】
2006149864.tif 000005
【図４】
2006149864.tif 000006